(57)【要約】【課題】  携帯電話を使用した電子投票システムを提供する。【解決手段】  ネットワーク上のアプリケーションサーバと、ＩＤを備えた携帯電話機とで構成され、前記アプリケーションサーバは、選挙の投票プログラムを実行するＣＰＵを有し、前記投票プログラムには、各段階の選挙を前記携帯電話機で表示可能な人数の候補者からなる選挙グループに分け、低次の選挙で選ばれた立候補者を集めて高次の選挙を行って最終選挙に至る方式のプログラムと、前記ＩＤを識別することで前記選挙グループ単位における同一携帯電話機からの重複投票を防止するプログラムと、低次の選挙の途中で高次の選挙グループを構成する候補者が再結成された段階で、低次の選挙は継続しつつ高次の選挙を行う先入れ先出し方式のプログラムを含む。【選択図】  図５
2011028376.tif 000002
【特許請求の範囲】
【請求項１】
ネットワーク上のアプリケーションサーバと、双方向通信が可能な携帯電話機などのモバイル端末とで構成される選挙システムであって、
前記アプリケーションサーバは、選挙の投票プログラムを実行するＣＰＵを有し、
前記投票プログラムには、
低次から高次の各段階の選挙を前記携帯電話機で表示可能な人数の候補者からなる選挙グループに分け、低次の選挙で選ばれた立候補者を集めて高次の選挙を行って最終選挙に至る方式のプログラムと、
前記モバイル端末のＩＤ若しくは投票者のＩＤを識別することで前記選挙グループ単位における同一携帯電話機若しくは同一投票者からの重複投票を防止するプログラムと、
低次の選挙の途中で高次の審査の審査グループを構成する候補者が再結成された段階で、低次の選挙は継続しつつ高次の選挙を行う先入れ先出し方式のプログラムとを含むことを特徴とする携帯電話機を使った電子投票システム。
【発明の詳細な説明】
【技術分野】
【０００１】
本発明は、携帯電話機などの双方向通信が可能なモバイル端末を使った選挙システムに関する。
【背景技術】
【０００２】
携帯電話を用いて応募或いは投票を行うコンテストシステムとして特許文献１〜３に挙げるものが知られ、携帯電話などを使った電子投票システムとしては特許文献４、５が知られている。
【０００３】
特許文献１には、インターネット通信網を介したコンテストサーバと、パケット通信網を介してＮＴＴドコモの「ｉモード」(登録商標)通信を行うパケット処理部、画像及び文字を表示するディスプレイ及び文字入力を行う入力部を備えた携帯電話とで構成されるコンテストシステムが開示されている。
【０００４】
この特許文献１には、コンテストの応募者及び投票者が当該携帯電話を操作して上記パケット処理部を介してアクセスし、インターネット検索用ブラウザを使って上記コンテストサーバのＣＰＵによってコンテストの応募及び投票のプログラムを実行し、当該ＣＰＵを使って携帯電話からのアクセスに対して上記ＮＴＴドコモの「ｉモード」(登録商標)通信を実行し、通信確立後に当該携帯電話からＩＤ番号を取得し、当該ＣＰＵを使ってこのＩＤ番号を用いて同一携帯電話からの重複登録を防ぎ、上記投票者の一次予選(地区大会)の投票結果に基づき被選抜者を対象とした二次予選(大地区大会)の投票を上記投票者に通知し、二次予選(大地区大会)以降、県大会の投票を行い、最終選考である全国大会の投票を行い、その投票結果を投票者に通知することが開示されている。
【０００５】
特許文献２には、コンテストの作品評価方法として、一次評価を通過したものを二次評価の対象とし、さらに二次評価を通過したものを三次評価の対象とすることにより、最終選考を行うことが開示されている。
【０００６】
特許文献３には、投票型の通信システムとして、複数の応募者全員の画像を同時に携帯電話端末の表示部に表示し、当該複数の応募者のうち特定の応募者の画像を表示画面の中から選択し、当該画像を携帯電話端末の表示部に拡大表示する方法が開示されている。
【０００７】
特許文献４には、投票者個人に送られた投票葉書に記載されたＵＲＬの選挙システムのホームページに携帯電話機からアクセスすると、該選挙システムはメールアドレスの登録を行い、該選挙システムから各携帯電話機に送信されたメールに、投票内容、投票ＩＤ、パスワードが記入され、記入された投票メールが該選挙システムに返信されると、該選挙システムは、受信した投票メールを収集し、各候補者ごとの得票数を算出し、前記ホームページに選挙速報および最終結果を表示し、最終結果を各携帯電話機に送信する携帯電話を用いた電子投票方法が開示されている。
【０００８】
特許文献５には、ネットワークへ接続して通信を行う機能を有する携帯端末と、選挙における投票の管理を行う機能を有する選挙管理サーバ端末と、前記選挙管理サーバとネットワーク接続され公共施設に設置された施設端末と、から構成される電子投票システムであって、選挙管理サーバ端末は、有権者であるユーザに操作された前記携帯端末からのアクセスを受けてユーザ本人確認及び有権者確認を行い、投票に必要な投票手続き情報を生成して前記施設端末へ送信し、前記携帯端末により該投票手続き情報を用いて行われた投票を受け付ける電子投票システムが開示されている。
【先行技術文献】
【特許文献】
【０００９】
【特許文献１】国際公開第０２／０９１２５９号
【特許文献２】国際公開第０２／０５４３１１号
【特許文献３】特開２００３−１１４９５５号公報
【特許文献４】特開２００５−１０７３８２号公報
【特許文献５】特開２００８−２４２５９１号公報
【発明の概要】
【発明が解決しようとする課題】
【００１０】
現在の選挙システムは不在者投票などの例外はあるが、原則として決められた日時と決められた場所で投票を行わなければならない。自宅から投票所までの距離が長い場合などは投票に半日近く費やしてしまい、また歩行が困難や入院中の老人などは投票を断念しなければならず、更に全ての人にとって都合がよい日はない。これらが投票率が高くならない原因の１つである。
【００１１】
また、現在の選挙システムは地方選挙、参議院選挙および衆議院選挙を別々に行っており、その都度多大な人員及び税金が費やされている。例えばこれらをトーナメント形式、具体的には１次選挙で市町村議員、１次選挙で選ばれた立候補者の中から２次選挙で県会議員（都会議員）、２次選挙で選ばれた立候補者の中から３次選挙で国会議員を選ぶようにすれば、選挙は１回で済む。
【００１２】
上記のトーナメント形式の選挙を行う場合、各人が１つ保有している状態に近い携帯電話を利用すれば、距離的な不利、体力・健康上の問題、天候等の突発的な要因などの不利は解消でき、投票率を大幅に高め、より多くの国民の意思を政治に反映することができる。
【００１３】
そこで、前記した特許文献１〜５を選挙システムに応用することが考えられる。しかしながら、上記した特許文献のうち低次と高次の審査に分けているものは、いずれも低次の審査が終了してから高次の審査を開始するようになっている。このため、立候補者の数が極めて多くなった場合、立候補の受付開始から締め切りまで待って１次選挙を行い、１次選挙の終了を待って２次選挙を開始していたのでは、選挙の開始から終了まで長期間を要してしまう。
【課題を解決するための手段】
【００１４】
上記課題を解決するため本発明に係る選挙システムは、ネットワーク上のアプリケーションサーバと、双方向通信が可能な携帯電話機などのモバイル端末とで構成される選挙システムであって、前記アプリケーションサーバは、選挙の投票プログラムを実行するＣＰＵを有し、前記投票プログラムには、低次から高次の各段階の選挙を前記携帯電話機で表示可能な人数の候補者からなる選挙グループに分け、低次の選挙で選ばれた立候補者を集めて高次の選挙を行って最終選挙に至る方式のプログラムと、前記モバイル端末のＩＤ若しくは投票者のＩＤを識別することで前記選挙グループ単位における同一携帯電話機若しくは同一投票者からの重複投票を防止するプログラムと、低次の選挙の途中で高次の選挙グループを構成する候補者が再結成された段階で、低次の選挙は継続しつつ高次の選挙を行う先入れ先出し方式のプログラムを含む。
【発明の効果】
【００１５】
本発明に係る選挙システムによれば、大勢の立候補者から短時間のうちに少数の立候補者を選定することができる。また本システムは、地理的、体力的、年齢的な不利を解消し、投票率を高めることができる。
【図面の簡単な説明】
【００１６】
【図１】本発明に係るシステムの一実施形態の構成を表わすブロック図
【図２】３番目の選挙グループまでの複合選挙を示す図
【図３】選挙プロセス全体を示す図
【図４】携帯電話による投票プロセスのフローチャート
【図５】表示画面の例
【発明を実施するための形態】
【００１７】
以下に本発明を実施するための最良の形態を図面に基づいて詳細に説明する。
図１に示すように本発明に係る携帯電話機を使った選挙システムは、ネットワーク１と、基地局アンテナ３を持つ携帯電話機の基地局２と、携帯電話機４と、基地局２とネットワーク１を接続する携帯電話ネットワーク２ａと、選挙関連情報の記憶手段を備えたデーターベース６を持つネットワーク１上のアプリケーションサーバ５で構成される。
【００１８】
前記ネットワーク１には基地局２の基地局アンテナ３を介して通信する携帯電話機４からアクセスできる、ネットワークとしては、ｉモード（登録商標）、ＥＺネットワーク（登録商標）やヤフー（登録商標）ケータイなどが使える。また携帯電話機４は機器固有のＩＤと、ネットワーク１を介して暗号化通信をする通信インターフェース部と、画像および文字を表示する表示部、及び文字入力部をするキーボタンを備える。
【００１９】
前記アプリケーションサーバ５は、投票プログラムを実行するＣＰＵを有し、前記プログラムは、各段階の選挙を複数の立候補者からなる選挙グループに分け、低次の選挙で選ばれた候補者を集めて高次の選挙を行って最終選挙に至る方式のプログラムと、前記携帯電話機のＩＤを識別することで前記選挙グループ単位における同一携帯電話機からの重複投票を防止するプログラムと、低次の選挙の途中で高次の選挙グループを構成する候補者が集まった段階で、低次の選挙は継続しつつ高次の選挙を行う先入れ先出し方式のプログラムとを含む。
【００２０】
前記アプリケーションサーバ５は、投票者からのアクセスがあると投票プログラムを実行する。前記アクセスは投票者が携帯電話機４を操作して行う。このアプリケーションサーバ５は、投票者の携帯電話機４が持つ排他的に識別可能なＩＤなどを格納するデーターベース６に接続されている。
【００２１】
前記ＣＰＵによって、前記携帯電話機からのアクセスに対して前記相互認証にＳＳＬの暗号化通信を実行し、データ通信確立後に前記携帯電話機からＩＤを取得し、前記アプリケーションサーバのＣＰＵを使って前記ＩＤを使って同一投票グループに対する前記携帯電話機からの重複投票を防止し、前記投票者の投票結果に基づき被選抜者を投票対象とした次の段階の投票を前記投票者に通知し、二回目以降の投票を繰り返して最終選考結果を投票者に通知する。
【００２２】
前記アプリケーションサーバ５のハードウェアは汎用のサーバコンピュータが使え、ＣＰＵ、ＲＯＭ、ＲＡＭ、ＨＤＤ、ＢＩＯＳ、通信インターフェース部（ＣＯＭ  Ｉ／Ｆ）、キーボードＫＢやマウスＭＳなどの入力部、およびディスプレイＤＳＰで構成されている。このうち、ＲＯＭ、ＲＡＭ、ＨＤＤ（ハードディスク）、ＢＩＯＳ、通信インターフェース部（ＣＯＭ  Ｉ／Ｆ）はバスを介して前記ＣＰＵと接続されていて、キーボードＫＢやマウスＭＳはヒューマンインターフェースＨＩ／Ｆを介して前記ＣＰＵと接続されている。
【００２３】
前記バスには乱数発生回路ＲＮＧが接続され、ここで発生された乱数が投票データとして管理サーバ６ａに登録されると共に、インターフェースＩＦを介して投票データとして選択された候補者データと共にデーターベース６に記録される。
【００２４】
上記の構成において、ＲＯＭは、システムプログラムを記憶する読み出し専用記憶デバイスであり、ＣＰＵは、ＢＩＯＳやＲＯＭに記憶されているシステムプログラムによって起動され、ＲＡＭに展開されたアプリケーションプログラムにしたがって各種の処理を実行する機能を持つ。
【００２５】
通信インターフェースは、ハードディスク、通信部インターフェース部、入力部１８、およびディスプレイの入出力を管理する。ディスプレイＤＳＰは、ＣＲＴやＬＣＤなどにより構成され、ＣＰＵの制御によってＣＰＵの演算結果や外部からの入力データを表示する機能を持つ。
【００２６】
ＩＤ番号は、好適には、携帯電話機に備えられるＳＩＭカードに保存される固有番号ＩＭＳＩあるいはその従属データが好ましい。携帯電話機４の登録時には、アプリケーションサーバ５と携帯電話機４がＳＳＬ暗号化通信による接続を確立した後に、アプリケーションサーバ５が携帯電話機４にコマンドを送信することにより携帯電話機４のＩＤを取得し、アプリケーションサーバ５のデーターベースに前記ＩＤを格納することにより携帯電話機４を登録する。
【００２７】
同一の携帯電話機４からのアプリケーションサーバ５に対する２回目以降のアクセスにおいては、アプリケーションサーバ５は前記データーベースの中から登録済ＩＤを検索して、登録確認や重複投票拒否をすることができる。
【００２８】
尚、葉書に投票者の氏名と選挙の際にのみ用いる選挙ＩＤ番号を付して、予め投票者に郵送するようにしてもよい。この場合には、携帯電話のＩＤを検証することは不要で、葉書に記載された氏名と選挙ＩＤ番号を携帯電話を用いて送信することで本人確認を行う。  
【００２９】
投票は、先入れ先出し方式で行う。まず、図２に示すように立候補者が９人揃った段階で第１グループＧ１の第１次選挙を行う。選挙はサイトアクセス権利を持つ有権者に１人につき１票を投票してもらい、例えば、上位３名を選出する。
【００３０】
ここで、第１次選挙は、例えば選挙規約において、立候補するのにある人数の推薦人を必要とする場合には、必要推薦人の人数に達した場合に第２次選挙に進めるようにすることも考えられる。
【００３１】
前記上位３人の立候補者は、９人の立候補者の中から選ばれた時点で第１次選挙（例えば市町村議員）を通過し、第２次選挙（例えば県議会議員）に進む。一方、第１グループＧ１の後に揃ったグループＧ２、Ｇ３の中から選ばれた２組の各３人の立候補者群を先の３人の立候補者と一緒にして第２次選挙を受ける９人の立候補者の中に組み込む。この９人の立候補者は同じ方法で選挙され、上位３人は他のグループの第２次選挙の終了を待たずして、第３次選挙（例えば国会議員）へと進んで行く（先入れ先出し方式）。
【００３２】
３人の立候補者を選抜する方法としては、例えば投票数が１００名を越える順番が早い者順に３人の立候補者を選抜する方法や、期限を限定してグループが形成されてから３日間に限定して、期間終了時の高得点を得た３人の立候補者を選抜する方法も考えられる。
尚、実施例では９人の立候補者で１つの選挙グループを作り、３人の立候補者を選出するようにしたが、選出人数はこれに限定されるものではない。
【００３３】
図２の横軸の立候補の時間軸においては、各グループＧ１〜Ｇ９の１番目から９番目までがグループを構成する９人の立候補者で、先に立候補した順に番号が付けられている。ここにおいて、各グループＧ１〜Ｇ９の第１次選挙の順番は番号通りの順番となっているが、第１番目のグループＧ１から第３番目のグループＧ３の中から選抜された各３人の立候補者から構成される第２次選挙を受ける第１グループＧ１０１の投票は、例えば時間で締め切る方法をとれば、第１次選挙の第７グループＧ７の選挙よりも早く行うことができ、第２次選挙を受ける第２グループＧ１０２の投票は第１次選挙の第９グループＧ９の選挙よりも早く行うことができる。
【００３４】
図３は、投票システムのフローチャートを示している。まず、携帯電話機４の利用者は、ステップＰａ０１で携帯電話機４からネットワークにアクセスし、投票サイトを開き、ステップＰａ０２で投票画面の選択を行う。これは本発明の投票システムの特徴であり、複数の投票段階を選択することにより同時進行的に複数の選挙段階において投票が可能となるものである。
【００３５】
ステップＰａ０２において、例えば第２選挙段階を選択した場合には、固有ＩＤを持つ携帯電話機４を使って第２選挙段階の特定グループに対して投票したことがあるか否かを確認する。もし過去に前記特定グループに対して投票した履歴が残っていた場合には重複投票として認識され、ステップＰａ０７に進み処理が終了する。
【００３６】
ステップＰａ０３において重複投票が確認されなかった場合には、初回として認定され、ステップＰａ０４において投票が可能となる。ステップＰａ０４における投票が有効になると、ステップＰａ０５において、その投票を反映した投票結果が携帯電話機４の画面に表示され、自分の投票がどれほど投票結果に影響を与えたかが視覚によって認識できる。尚、ステップＰａ０５は必須ではない。
【００３７】
ここで固有ＩＤを持つ携帯電話機４を使った特定グループに対する投票権は消滅した。しかし、１グループに１投票できるルールで、まだ投票権の残っている他のグループが存在する場合には、ステップＰａ０６における選択で他のグループに対する投票を続けることができる。
【００３８】
ステップＰａ０６において、もう投票する意志がない場合には、終了を選択することによってステップＰａ０７にて終了画面が表示される。
【００３９】
図４は、乱数を使った投票データ管理のフローチャートを図示している。データーベース６とデーターベース６aはそれぞれ独立した装置とし、相互に通信することはない仕組みとし、例えばデータ比較する場合には別のバッファメモリなどを使って作業するものとする。
【００４０】
ステップＰｖ０１で携帯電話機４からアプリケーションサーバ５へのアクセスがあると、アプリケーションサーバ５はステップＰｖ０２で携帯電話機４のＳＩＭカードのＩＤ番号を読み出してデーターベース６に登録してあるＩＤ番号リストを使って照合する。
【００４１】
ＩＤ番号の照合で前記ＩＤ番号が確認できなかった場合には、ステップＰｖ０３にて処理を終了し、携帯電話機４との接続を切断する。ＩＤ番号の照合が成功した場合にはステップＰｖ０４にて、あらかじめ登録してあるメールアドレスに確認メールを送出する。
【００４２】
確認メールを受信した携帯電話機４では、投票者がアプリケーションサーバ５のプログラムによって選択した選挙画面を使って投票者を選択し、その投票情報をアプリケーションサーバ５を介してデーターベース６にデータ送信する。
【００４３】
ステップＰｖ０６で、携帯電話機４からのデータを受信したアプリケーションサーバ５は、受信データの中から投票情報（例えば立候補者を特定する番号や記号）を抽出する。
【００４４】
ステップＰｖ０７では、データーベース６ａが前記投票情報を受信すると、アプリケーションサーバ５は、乱数発生手段によって乱数を発生させ、この乱数と前記投票情報をデーターベース６ａに保存するとともに、前記乱数発生手段から同じ乱数がデーターベース６に送られ、ステップＰｖ０８にて投票数を管理するデータとして記録される。
【００４５】
投票が完了した時点で、データーベース６にも投票管理データーベース６ａにも個人情報は残されていないが、前記受信履歴によって誰が投票したかについての確認（従来の投票所におけるハガキと住民台帳の照合に相当）は可能であり、また投票の有効性を確認するために投票管理データーベース６ａに格納された有効投票に対応する乱数のリストを使って最終的に投票者の員数確認を行うことにより投票の有効性が確認できる。
【００４６】
図５（ａ）〜（ｃ）は表示画面の例を示している。（ａ）は１グループを構成する立候補者全員を表示した画面、（ｂ）は特定立候補者の拡大画面、（ｃ）は特定立候補者のプロフィールを表示した画面を示している。本実施例においては、複数の立候補者を同時に表示する画面表示に表示される立候補者の画像は、前記携帯電話機の１から９のボタンに対応させた９人分の画像とした。
【００４７】
携帯電話機４の図５（ａ）の表示画面７ａの画像にカーソルを合わせて携帯電話機４の入力ボタン８の中の特定ボタンをクリックするか、タッチセンサーパネルの場合は表示画面フラッシュ画像７ａの画像をクリックすると画像が拡大されて図５（ｂ）のフラッシュ画面７ｂに拡大画面が表示される。
【００４８】
ここで選択ボタン或いは前記特定ボタンなどの指定ボタンを押すと、図５（ｃ）に示すように画像が拡大画像７ｂからプロフィール情報画面７ｃに表示が切り替わる。投票者は拡大画面７ｂとプロフィール情報画面７ｃによって各候補者の基本データを閲覧し、９人の中からどの立候補者に投票するかを意志決定する。
【００４９】
上記においては、画像のみの表示であったが、プロフィーフ情報画面においては、視覚的な表示以外に音声による情報提供も可能である。この場合においては、例えば前記サムネイルのフラッシュ画像にカーソルが置かれた時に該当番号を音声案内したり、選択された候補者の番号を音声案内したり、プロフィールにおいても写真以外に候補者の肉声を再生することにより、視覚に頼らなくとも立候補者を選択できるようにすることが出来る。
【産業上の利用可能性】
【００５０】
携帯電話を利用して複数段階の選挙を同時並行的に実施することにより、高次の選挙を前倒し実行し、全体として選挙時間の短い選挙を行うことができる。特に、選挙地域が広く有権者の数が何百、何千万人となるような米国大統領選挙や、地方議員と国会議員などを同時に行う場合に有利である。
【符号の説明】
【００５１】
１…ネットワーク、  ２…携帯電話機の基地局、  ３…基地局アンテナ、  ４…携帯電話機、  ５…アプリケーションサーバ、  ６…データーベース、  ６ａ…投票管理サーバ、  ７…携帯電話機の表示画面、  ７ａ〜７ｃ…画像、  ８…携帯電話機の入力ボタン。
【図１】
2011028376.tif 000003
【図２】
2011028376.tif 000004
【図３】
2011028376.tif 000005
【図４】
2011028376.tif 000006
【図５】
2011028376.tif 000007